(57)【要約】【課題】兼用キーを押下したときの複合機器の動作が、ユーザが所望しない動作となる事態の発生を防止する。【解決手段】複数の電子装置部のうちから操作対象に設定する電子装置部を選択するときに押下される選択キー１２を備え、キースイッチが押下されなくなってから予め設定された期間である押下有効期間が経過した後では、少なくとも選択キー１２を含んだキースイッチの押下が行われるとともに前記押下が終了したときから押下有効期間が経過しないうちに兼用キー１１が押下された場合には兼用キー１１の押下を有効とし、兼用キー１１の押下のタイミングがその他のタイミングとなるときには兼用キー１１の押下を無効としている。【選択図】  図１
2007201629.tif 000002
【特許請求の範囲】
【請求項１】
複数の電子装置部がひとつの筐体の内部に設けられた複合機器にリモコン信号を送信するとともに操作面には複数のキースイッチが設けられ、
前記複数のキースイッチには、
複数の電子装置部のうちから操作対象に設定する電子装置部を選択するときに押下される選択キーと、
複数の電子装置部のいずれの動作の指示を行うときにも共通して押下され、押下されたキースイッチに対応した動作を行う電子装置部は選択キーの押下によって操作対象に設定された電子装置部となる兼用キーとが少なくとも含まれたリモートコントローラにおいて、
前記複数のキースイッチが押下されなくなってから予め設定された期間である押下有効期間が経過した後では、少なくとも選択キーを含んだキースイッチの押下が行われるとともに前記押下が終了したときから押下有効期間が経過しないうちに兼用キーが押下された場合には兼用キーの押下を有効とし、兼用キーの押下のタイミングがその他のタイミングとなるときには兼用キーの押下を無効とするとともに操作面に設けられた表示器を用いて兼用キーの押下が無効であることを表示することを特徴とするリモートコントローラ。
【請求項２】
複数の電子装置部がひとつの筐体の内部に設けられた複合機器にリモコン信号を送信するとともに操作面には複数のキースイッチが設けられ、
前記複数のキースイッチには、
複数の電子装置部のうちから操作対象に設定する電子装置部を選択するときに押下される選択キーと、
複数の電子装置部のいずれの動作の指示を行うときにも共通して押下され、押下されたキースイッチに対応した動作を行う電子装置部は選択キーの押下によって操作対象に設定された電子装置部となる兼用キーとが少なくとも含まれたリモートコントローラにおいて、
前記複数のキースイッチが押下されなくなってから予め設定された期間である押下有効期間が経過した後では、少なくとも選択キーを含んだキースイッチの押下が行われるとともに前記押下が終了したときから押下有効期間が経過しないうちに兼用キーが押下された場合には兼用キーの押下を有効とし、兼用キーの押下のタイミングがその他のタイミングとなるときには兼用キーの押下を無効とすることを特徴とするリモートコントローラ。
【発明の詳細な説明】
【技術分野】
【０００１】
本発明は、リモコン信号を、ビデオカセットレコーダ一体型ＤＶＤレコーダ等のように複数の電子装置部がひとつの筐体の内部に設けられた複合機器に送信するリモートコントローラに係り、より詳細には、所定のタイミングとは異なるタイミングにおいて兼用キーが押下されたときには、兼用キーの押下を無効とするリモートコントローラに関する。
【背景技術】
【０００２】
ひとつの筐体の内部に複数のＡＶ装置部を組み込んだＡＶ機器を用いる場合には、多数の装置を部屋に置くことなく、複数のＡＶ機器の機能を実行させることができて便利である。このような機器のひとつにビデオカセットレコーダ一体型ＤＶＤレコーダがある。一方、この装置に使用するリモートコントローラ（以下では、リモコンと称する）においては、ＤＶＤ部とＶＣＲ部とのそれぞれに対応してキースイッチを設けると、キースイッチの数が多くなるため、再生キー等のように、ＤＶＤ部とＶＣＲ部との双方において使用可能なキースイッチに関しては、兼用としている。また、兼用としたキースイッチ（兼用キー）を押下したとき、その押下をＤＶＤ部に対して有効とするのか、あるいは、ＶＣＲ部に対して有効とするのかを選択するための選択キーを設けている（第１の従来技術とする）。
【０００３】
また、以下に示す技術（第２の従来技術とする）が提案されており、この技術においては、第１の従来技術を用いた場合、以下に示す問題が生じるとされている。すなわち、選択キーを押下した後、兼用キーを押下しなければならず、ユーザに負担を強いる。また、兼用キーのみを操作すると、所望の動作が行われない（ＶＣＲ部の再生のために再生キーを押下したにもかかわらず、ＤＶＤ部が動作するモードとなっていて、ＤＶＤの再生が始まった等）。そのため、装置に不具合がなく、正常に動作する状態であるにもかかわらず、何か故障が発生したように、ユーザが誤解する事態を招くとされている。
【０００４】
このため、ＶＣＲ部とテレビ部とを備えた構成において、兼用キーの押下を示すリモコン信号を受信した場合、テレビ部は、受信したリモコン信号をＶＣＲ部が受け付け可能であるかどうかを調べる。そして、受け付け可能であることが判明したときでは、ＶＣＲ部が動作モードであるため、ＶＣＲ部と協働して、リモコン信号に対応した動作を実行する。一方、受信したリモコン信号をＶＣＲ部が受け付け不能であるときには、テレビ部が動作モードとなっているので、テレビ部においてリモコン信号に対応した動作を行う（例えば、特許文献１参照）。
【０００５】
また、以下に示す技術が提案されている（第３の従来技術とする）。すなわち、この技術においては、双方向番組の受信を行うテレビ受像機が、双方向番組の受信に対応した双方向モードとなるときには、テレビ受像機の側から信号をリモコンに送信することによって、リモコンの動作モードを、通常モードから双方向モードに変更するようになっている。そして、リモコンは、双方向モードとなるときでは、利用可能なキースイッチ以外のキースイッチの押下を無視するように動作する。このため、双方向の番組の受信時に、誤ったキースイッチが押下されたことが原因となって、双方向番組の受信が中断されるという事態の発生が防止される（例えば、特許文献２参照）。
【特許文献１】特開２００５−１９７９２８号公報
【特許文献２】特開２００５−６１４４号公報（第００３７−００４７段落）
【発明の開示】
【発明が解決しようとする課題】
【０００６】
しかしながら、第２の従来技術を、例えば、ビデオカセットレコーダ一体型ＤＶＤレコーダに用いるときでは、以下に示す問題を生じていた。すなわち、ビデオテープを再生している状態からＤＶＤの再生に移行する場合を考える。ビデオテープの再生を停止するために停止キーを押下すると、ビデオテープの再生は停止される。この状態において、ＤＶＤを再生させるために再生キーを押下すると、ＶＣＲ部が動作モードとなっているので、ＤＶＤの再生ではなく、ビデオテープの再生が行われる。従って、ビデオテープの再生を停止した状態からＤＶＤの再生に移行するには、ＶＣＲ部が動作するモードの状態から、ＤＶＤ部が動作するモードに変更するための操作が必要となり、この操作を行わないときでは、ＤＶＤの再生が実行されない。つまり、再生キーを押下することによってＤＶＤの再生を開始させるには、再生キーの押下より前に、モードを切り換えるためのキー操作を必要とする。
【０００７】
つまり、第２の従来技術を用いる場合であっても、第１の従来技術において生じた問題が生じる。すなわち、兼用キーのみを操作すると、所望の動作が行われない。その結果、装置に不具合がなく、正常に動作する状態であるにもかかわらず、何か故障が発生したように、ユーザが誤解する事態を招く。
【０００８】
第３の従来技術は、双方向モードとなるときには、利用可能なキースイッチ以外のキースイッチの押下を無視することにより、誤ったキースイッチの押下が原因となって双方向番組の受信が中断される、という事態の発生を防止する技術となっている。従って、第１の従来技術において生じた問題、すなわち、兼用キーのみを操作すると所望の動作が行われない。そのため、装置に不具合がなく、正常に動作する状態であるにもかかわらず、何か故障が発生したようにユーザが誤解する、という事態の発生を防止する観点からは、適用することが困難な技術となっている。
【０００９】
また、文字等の表示が可能な表示器をリモコンに設け、この表示器において、現在の動作モードを表示する構成、あるいは、スライドスイッチによって動作モードを設定する構成も知られているが、これらの場合でも、現在のモードを勘違いして兼用キーを押下することがあり、第１の従来技術における問題を解決するには至っていない。且つ、ハードウエアが増加するので、リモコンの製造価格が上昇するという問題も生じる。
【００１０】
本発明は、上記の問題点を解決するため創案され、その目的は、兼用キーがどの電子装置部に対して有効となっているのかをユーザがはっきり意識している期間内においてのみ、兼用キーの押下を有効とすることにより、兼用キーを押下したときの複合機器の動作が、ユーザが所望しない動作となる事態の発生を防止することのでき、且つ、兼用キーの押下を無効としたときでは、兼用キーの押下が無効となっていることを表示することにより、兼用キーの押下が無効であることに対し、ユーザが不具合が発生したと誤って判断することを防止することのできるリモートコントローラを提供することにある。
【００１１】
また本発明の目的は、複数の電子装置部のうちから操作対象に設定する電子装置部を選択する選択キーと、複数の電子装置部に共通して使用可能である兼用キーとを備えた構成において、兼用キーがどの電子装置部に対して有効となっているのかをユーザがはっきり意識している期間内においてのみ、兼用キーの押下を有効とすることにより、兼用キーを押下したときの複合機器の動作が、ユーザが所望しない動作となる事態の発生を防止することのできるリモートコントローラを提供することにある。
【課題を解決するための手段】
【００１２】
上記の課題を解決するため、本発明に係るリモートコントローラは、複数の電子装置部がひとつの筐体の内部に設けられた複合機器にリモコン信号を送信するとともに操作面には複数のキースイッチが設けられ、前記複数のキースイッチには、複数の電子装置部のうちから操作対象に設定する電子装置部を選択するときに押下される選択キーと、複数の電子装置部のいずれの動作の指示を行うときにも共通して押下され、押下されたキースイッチに対応した動作を行う電子装置部は選択キーの押下によって操作対象に設定された電子装置部となる兼用キーとが少なくとも含まれたリモートコントローラに適用している。そして、前記複数のキースイッチが押下されなくなってから予め設定された期間である押下有効期間が経過した後では、少なくとも選択キーを含んだキースイッチの押下が行われるとともに前記押下が終了したときから押下有効期間が経過しないうちに兼用キーが押下された場合には兼用キーの押下を有効とし、兼用キーの押下のタイミングがその他のタイミングとなるときには兼用キーの押下を無効とするとともに操作面に設けられた表示器を用いて兼用キーの押下が無効であることを表示している。
【００１３】
すなわち、選択キーを押下してからの経過期間が短く、どの電子装置部を操作対象に設定したのかについて、ユーザが明瞭に意識している期間内に、ユーザが兼用キーを押下した場合には、兼用キーの押下が有効となり、選択キーを押下してから時間が経過したため、どの電子装置部が操作対象になっているかについて、ユーザが勘違いする可能性があるときでは、兼用キーの押下は無効となる。また、兼用キーの押下が無効となるときでは、押下が無効であることが表示される。
【００１４】
また本発明に係るリモートコントローラは、複数の電子装置部がひとつの筐体の内部に設けられた複合機器にリモコン信号を送信するとともに操作面には複数のキースイッチが設けられ、前記複数のキースイッチには、複数の電子装置部のうちから操作対象に設定する電子装置部を選択するときに押下される選択キーと、複数の電子装置部のいずれの動作の指示を行うときにも共通して押下され、押下されたキースイッチに対応した動作を行う電子装置部は選択キーの押下によって操作対象に設定された電子装置部となる兼用キーとが少なくとも含まれたリモートコントローラに適用している。そして、前記複数のキースイッチが押下されなくなってから予め設定された期間である押下有効期間が経過した後では、少なくとも選択キーを含んだキースイッチの押下が行われるとともに前記押下が終了したときから押下有効期間が経過しないうちに兼用キーが押下された場合には兼用キーの押下を有効とし、兼用キーの押下のタイミングがその他のタイミングとなるときには兼用キーの押下を無効としている。
【００１５】
すなわち、選択キーを押下してからの経過期間が短く、どの電子装置部を操作対象に設定したのかについて、ユーザが明瞭に意識している期間内に、ユーザが兼用キーを押下した場合には、兼用キーの押下が有効となり、選択キーを押下してから時間が経過したため、どの電子装置部が操作対象になっているかについて、ユーザが勘違いする可能性があるときでは、兼用キーの押下は無効となる。
【発明の効果】
【００１６】
本発明によれば、選択キーを押下してからの経過期間が短く、どの電子装置部を操作対象に設定したのかについて、ユーザが明瞭に意識している期間内に、ユーザが兼用キーを押下した場合には兼用キーの押下が有効となり、選択キーを押下してから時間が経過したため、どの電子装置部が操作対象になっているかについて、ユーザが勘違いする可能性があるときでは、兼用キーの押下は無効となる。また、兼用キーの押下が無効となるときでは、押下が無効であることが表示される。このため、兼用キーを押下したときの複合機器の動作がユーザが所望しない動作となる事態の発生を防止することができ、且つ、兼用キーの押下が無効であることに対し、ユーザが不具合が発生したと誤って判断することを防止することができる。
【００１７】
また本発明によれば、選択キーを押下してからの経過期間が短く、どの電子装置部を操作対象に設定したのかについて、ユーザが明瞭に意識している期間内に、ユーザが兼用キーを押下した場合には、兼用キーの押下が有効となり、選択キーを押下してから時間が経過したため、どの電子装置部が操作対象になっているかについて、ユーザが勘違いする可能性があるときでは、兼用キーの押下は無効となるので、兼用キーを押下したときの複合機器の動作がユーザが所望しない動作となる事態の発生を防止することができる。
【発明を実施するための最良の形態】
【００１８】
以下、本発明の実施の形態について図を参照して説明する。
【００１９】
図３は、本発明に係るリモートコントローラの一実施形態から送信されるリモコン信号（赤外線信号）によって動作が制御される複合機器の電気的構成を示すブロック線図であり、具体的には、ビデオカセットレコーダ一体型ＤＶＤレコーダ（以下では、一体型レコーダと称する）を示している。
【００２０】
図において、チューナ部５１は、主制御部５４から指示されたチャンネルの商用放送を受信する。また、受信して得られたアナログ映像音声信号を、ＤＶＤレコーダ部５２とビデオカセットレコーダ部（以下では、ＶＣＲ部と称する）５３とに出力する。
【００２１】
ＤＶＤレコーダ部５２は、請求項記載の電子装置部に該当するブロックであり、チューナ部５１から出力されるアナログ映像音声信号を、デジタル映像音声情報に変換してＤＶＤ（図示を省略）に記録する。また、ＤＶＤに記録されたデジタル映像音声情報を再生することにより得られたアナログ映像音声信号をスイッチ５６に出力する。
【００２２】
ＶＣＲ部５３は、請求項記載の電子装置部に該当するブロックであり、チューナ部５１から出力されるアナログ映像音声信号をビデオテープ（図示を省略）に記録する。また、ビデオテープに記録されたアナログ映像音声信号を再生してスイッチ５６に出力する。
【００２３】
入力回路部５５は、装置本体の前面パネルに設けられた電源キー等の複数のキースイッチ（図示を省略）や、リモートコントローラ（以下では、リモコンと称する）１から送信される赤外線信号（リモコン信号）を受光する受光ユニット等を備えており、ユーザからの指示が入力される。また、入力された指示を主制御部５４に出力する。
【００２４】
スイッチ５６は、ＤＶＤレコーダ部５２から出力されるアナログ映像音声信号と、ＶＣＲ部５３から出力されるアナログ映像音声信号とを切り換えて、外部に設けられたテレビ受像機３に出力する。
【００２５】
主制御部５４は、マイクロコンピュータを主要部として構成され、一体型レコーダとしての主要動作を制御する。すなわち、チューナ部５１が受信するチャンネルを制御する。また、ＤＶＤモードとなったときには、ＤＶＤレコーダ部５２から出力されるアナログ映像音声信号がテレビ受像機３に導かれ、ＶＣＲモードとなったときには、ＶＣＲ部５３から出力されるアナログ映像音声信号がテレビ受像機３に導かれるようにスイッチ５６の接続を制御する。
【００２６】
また、ＤＶＤモードにおいて録画の指示がユーザから入力されたときには、チューナ部５１とＤＶＤレコーダ部５２とを制御することによって、チューナ部５１が受信した番組をＤＶＤに記録する。また、ＤＶＤモードにおいて再生の指示が入力されたときには、ＤＶＤレコーダ部５２を制御することによって、ＤＶＤに記録された映像音声情報を再生し、テレビ受像機３に表示する。
【００２７】
また、ＶＣＲモードにおいて録画の指示がユーザから入力されたときには、チューナ部５１とＶＣＲ部５３とを制御することによって、チューナ部５１が受信した番組をビデオテープに記録する。また、ＶＣＲモードにおいて再生の指示が入力されたときには、ＶＣＲ部５３を制御することによって、ビデオテープに記録された映像音声信号を再生し、テレビ受像機３に表示する。
【００２８】
図１は、リモコン１の操作面に設けられたキースイッチを示す説明図である。
【００２９】
ＤＶＤキー３１は、一体型レコーダ２の動作モードをＤＶＤモード（ＤＶＤレコーダ部５２が操作対象に設定されるモード）に設定するキースイッチとなっている。ＶＣＲキー３２は、一体型レコーダ２の動作モードをＶＣＲモード（ＶＣＲ部５３が操作対象に設定されるモード）に設定するキースイッチとなっている。
【００３０】
すなわち、ＤＶＤキー３１とＶＣＲキー３２とは、請求項記載の選択キー１２となっており、ＤＶＤキー３１を押下したときには、ＤＶＤレコーダ部５２がリモコン１の操作対象に設定され、ＶＣＲキー３２を押下したときには、ＶＣＲ部５３がリモコン１の操作対象に設定される。
【００３１】
再生キー２１は、ＤＶＤモードにおいては、ＤＶＤレコーダ部５２の再生を開始させ、ＶＣＲモードにおいては、ＶＣＲ部５３の再生を開始させるキースイッチとなっている。停止キー２２は、ＤＶＤモードにおいては、ＤＶＤレコーダ部５２の再生、録画、速送り、速戻しを停止させ、ＶＣＲモードにおいては、ＶＣＲ部５３の再生、録画、速送り、速戻しを停止させるキースイッチとなっている。
【００３２】
速送りキー２３は、ＤＶＤモードにおいては、ＤＶＤレコーダ部５２におけるＤＶＤの再生を速送りし、ＶＣＲモードにおいては、ＶＣＲ部５３におけるビデオテープの速送り、あるいは、ＶＣＲ部５３における再生の速送りを行うキースイッチとなっている。速戻しキー２４は、ＤＶＤモードにおいては、ＤＶＤレコーダ部５２におけるＤＶＤの再生を速戻しし、ＶＣＲモードにおいては、ＶＣＲ部５３におけるビデオテープの速戻し、あるいは、ＶＣＲ部５３における再生の速戻しを行うキースイッチとなっている。
【００３３】
録画キー２５は、ＤＶＤモードにおいては、ＤＶＤレコーダ部５２におけるＤＶＤへの録画を開始させ、ＶＣＲモードにおいては、ＶＣＲ部５３におけるビデオテープへの録画を開始させるキースイッチとなっている。一時停止キー２６は、ＤＶＤモードにおいては、ＤＶＤレコーダ部５２におけるＤＶＤの再生や録画を一時停止させ、ＶＣＲモードにおいては、ＶＣＲ部５３におけるビデオテープの再生や録画を一時停止させるキースイッチとなっている。
【００３４】
メニューキー２７は、ＤＶＤモードにおいては、ＤＶＤレコーダ部５２の各種の設定のための画面を呼び出し、ＶＣＲモードにおいては、ＶＣＲ部５３の各種の設定のための画面を呼び出すキースイッチとなっている。
【００３５】
すなわち、再生キー２１、停止キー２２、速送りキー２３、速戻しキー２４、録画キー２５、一時停止キー２６、および、メニューキー２７は、請求項記載の兼用キー１１となっている。つまり、ＤＶＤレコーダ部５２とＶＣＲ部５３とのいずれの動作の指示を行うときにも共通して押下されるキースイッチとなっている。従って、兼用キー１１を押下したときでは、選択キー１２の押下によって操作対象に設定された電子装置部（ＤＶＤレコーダ部５２とＶＣＲ部５３とのうちの一方）が、押下されたキースイッチに対応した動作を行う。
【００３６】
電源キー３３は、電源のオンオフを切り換えるキースイッチとなっている。数字キー３４は、チューナ部５１が受信するチャンネルの指示等を行うキースイッチとなっている。上方向キー３５、下方向キー３６、左方向キー３７、右方向キー３８は、カーソル（図示を省略）を移動させるキースイッチとなっている。決定キー３９は、カーソルの位置するボタン（図示を省略）を操作するキースイッチとなっている。
【００３７】
また、リモコン１の操作面１０１には、その他のキースイッチが設けられている。また、操作面１０１の上端部には、赤色のＬＥＤからなる表示器１５が設けられている。
【００３８】
図２は、リモコン１の電気的構成を示すブロック線図である。
【００３９】
発光部４１は、赤外線発光ダイオードと、赤外線発光ダイオードを駆動する駆動回路からなり、制御部４２からのパルス信号に対応する赤外線信号（リモコン信号）を送信する。キースイッチ部４３は、操作面１０１に設けられた複数のキースイッチとなっている。タイマ４４は、ソフトウエアにより構成される計時手段であり、押下有効期間（６０秒となっているが、その他の期間（例えば、５０秒、あるいは、９０秒等）とすることもできる）を計時する（後に詳述する）。
【００４０】
制御部４２は、マイクロコンピュータを主要部として構成され、リモコン１としての動作を制御する。すなわち、キースイッチ部４３を構成する複数のキースイッチのうち、どのキースイッチが押下されたかを検出する。そして、検出されたキースイッチに対応するリモコン信号を発光部４１から送信させる。
【００４１】
また、制御部４２は、操作面１０１に設けられた複数のキースイッチが押下されなくなってから、予め設定された期間である押下有効期間が経過した後では、少なくとも選択キー１２を含んだキースイッチの押下が行われ、それらのキースイッチの押下が終了したときから押下有効期間が経過しないうちに兼用キーが押下された場合には、兼用キー１１の押下を有効とする。すなわち、押下された兼用キー１１に対応するリモコン信号を発光部４１から送信する。
【００４２】
しかし、兼用キー１１の押下のタイミングがその他のタイミングとなるとき、すなわち、操作面１０１のキースイッチが押下されなくなってから押下有効期間が経過した後において、選択キー１２を含まないキースイッチのみが押下された後、あるいは、少なくとも選択キー１２を含んだキースイッチの押下は行われたが、それらのキースイッチの押下が終了したときから押下有効期間が経過した後となるときには、兼用キー１１の押下は無効であるとして、リモコン信号を送信しない。そして、兼用キー１１の押下が無効となったときには、表示器１５を点滅させることによって、兼用キー１１の押下が無効であることを表示する。
【００４３】
以下に補足的な説明を行う。上記において説明したように、本実施形態における兼用キー１１は、再生キー２１、停止キー２２、速送りキー２３、速戻しキー２４、録画キー２５、一時停止キー２６、メニューキー２７となっている。つまり、兼用キー１１は、複数の電子装置部のいずれの動作の指示を行うときにも共通して押下されるキースイッチであるとともに、選択キー１２（ＤＶＤキー３１とＶＣＲキー３２とのうちの一方）を押下することによって、操作対象となる電子装置部を選択した後、その他のキースイッチの押下を介在させることなく押下したときにも、その押下に対応するリモコン信号が一体型レコーダ２において有効とされるキースイッチとなっている。
【００４４】
すなわち、例えば、上方向キー３５、下方向キー３６、左方向キー３７、右方向キー３８、および、決定キー３９は、ＤＶＤレコーダ部５２の設定とＶＣＲ部５３の設定との双方において、共通して押下されるキースイッチであるが、これらのキースイッチの押下が有効となるためには、メニュー画面が表示されている必要がある。すなわち、キースイッチ３５〜３９は、メニューキー２７が押下された後において、その押下が有効となるキースイッチであるため、兼用キー１１には該当しない。また、操作面１０１に設けられたキースイッチのうち、キースイッチ２１〜２７，３１，３２，３５〜３９を除くキースイッチも、兼用キー１１には該当しないことになる。
【００４５】
図４は、リモコン１の主要動作を示すフローチャート、図５は、リモコン信号を受信したときの一体型レコーダ２の主要動作を示すフローチャートである。必要に応じて同図を参照しつつ、実施形態の動作を説明する。
【００４６】
一体型レコーダ２においては、受信したリモコン信号が、選択キー１２の押下を示すリモコン信号（動作モードの切り換えを指示するリモコン信号）である場合、動作モードを、受信したリモコン信号に対応したモードに設定する（ステップＳ２１〜Ｓ２３）。また、受信したリモコン信号が、兼用キー１１の押下を示すリモコン信号（再生を指示するリモコン信号等）である場合、動作モードに対応する電子装置部（ＤＶＤレコーダ部５２とＶＣＲ部５３とのうちの一方）に、受信したリモコン信号に対応した動作を実行させる（ステップＳ２１、Ｓ２２、Ｓ２７，Ｓ２８）。また、受信したリモコン信号が、兼用キー１１や選択キー１２とは異なるキースイッチの押下を示すリモコン信号（例えば、電源オフを指示するリモコン信号等）である場合には、リモコン信号に対応した動作を実行する（ステップＳ２１、Ｓ２２、Ｓ２７，Ｓ２９）。
【００４７】
以上で一体型レコーダ２の動作説明を終了し、以下に、リモコン１の動作について説明する。
【００４８】
一方、リモコン１の側では、操作面１０１に設けられたキースイッチのうち、兼用キー１１と選択キー１２とを除くキースイッチを押下したときでは、動作は、ステップＳ１，Ｓ２，Ｓ１１，Ｓ１５と移行し、押下されたキースイッチに対応するリモコン信号が送信される。そして、タイマ４４の計時が６０秒以内であるかどうかが判定され（ステップＳ１６）、６０秒以内であるときには、タイマ４４の計時は初期化される（ステップＳ５）。しかし、タイマ４４の計時が６０秒を超えているときでは、タイマ４４を初期化することなく、キースイッチの押下に対応した動作を終了する。
【００４９】
操作面１０１に設けられたキースイッチのうち、ＤＶＤキー３１、あるいは、ＶＣＲキー３２を押下したとする（ステップＳ１）。このときでは、動作は、ステップＳ２、ステップＳ１１、ステップＳ１２と移行し、押下されたキースイッチに対応する電子装置部を操作対象とするためのリモコン信号が送信される。すなわち、ＤＶＤキー３１を押下したときでは、ＤＶＤレコーダ部５２を操作対象に設定するためのリモコン信号（ＤＶＤモードとするためのリモコン信号）が送信され、ＶＣＲキー３２を押下したときでは、ＶＣＲ部５３を操作対象に設定するためのリモコン信号（ＶＣＲモードとするためのリモコン信号）が送信される。そして後、タイマ４４の計時が初期化される（ステップＳ５）。
【００５０】
リモコン１の操作面１０１に設けられたキースイッチのうち、兼用キー１１を押下したときでは、動作は、ステップＳ２、ステップＳ３と移行し、タイマ４４の計時が６０秒以内であるかどうかが調べられる。そして、計時が６０秒以内であるときには、押下された兼用キー１１に対応するリモコン信号が送信される（ステップＳ４）。従って、いま、押下された兼用キー１１が再生キー２１であるとすると、再生を指示するリモコン信号が送信される。そして後、タイマ４４の計時が初期化される（ステップＳ５）。
【００５１】
一方、ステップＳ３の判定において、タイマ４４の計時が６０秒を超えていることが判明した場合、兼用キー１１の押下は無効であると判定され、動作は、ステップＳ６に移行する。従って、表示器１５が所定期間（例えば、１秒等）において点滅され、兼用キー１１の押下が無効であることが表示される。
【００５２】
以上のことから、操作面１０１に設けられたキースイッチのいずれをも操作することなく、６０秒が経過したときには、タイマ４４の計時は６０秒を超える。すなわち、操作面１０１に設けられたキースイッチのいずれをも操作することなく、６０秒が経過した後に兼用キー１１を押下した場合では、兼用キー１１の押下は無効となって、表示器１５が点滅される。
【００５３】
このような状態となったとき、兼用キー１１の押下を有効とするためには、兼用キー１１の押下に先立ち、選択キー１２を押下する必要がある。すなわち、ＤＶＤモードとするのか、あるいは、ＶＣＲモードとするのかを指示するための選択キー１２を含むキースイッチの押下を必要とする。また、選択キー１２を含むキースイッチを押下して後、６０秒以内に兼用キー１１が押下する必要がある。
【００５４】
このことは、ＶＣＲモードに設定したのか、あるいは、ＤＶＤモードに設定したのかについて、ユーザが明瞭に意識している期間内に、ユーザが兼用キー１１を押下した場合にのみ、兼用キー１１の押下が有効となり、選択キー１２を押下してから時間が経過したため、どちらの動作モードになっているかについて、ユーザが勘違いする可能性があるときでは、兼用キー１１の押下が無効となることを意味している。
【００５５】
従って、例えば、ユーザが、ＶＣＲモードになっているにもかかわらず、ＤＶＤモードになっていると勘違いして録画キー２５を押下したことから、残しておく必要のある番組が録画されたビデオテープに録画が開始されるといったような、ユーザにとって大きな損害を招く可能性のある誤操作を行ったときにも、その操作は無効となるので、損害の発生を防止することができる。
【００５６】
なお、本発明は上記実施形態に限定されず、複合機器については、ビデオカセットレコーダ一体型ＤＶＤレコーダとした場合について説明したが、複数の電子装置部を備えるその他の装置（例えば、ビデオテープ、ハードディスクドライブ、および、光ディスクを記録媒体として、映像音声の記録再生を可能にする装置、あるいは、ＤＶＤレコーダとテレビ受像機とが一体化された装置、等）の場合にも、同様に適用することができる。
【００５７】
また、兼用キーについては、再生キー２１、停止キー２２、速送りキー２３、速戻しキー２４、録画キー２５、一時停止キー２６、メニューキー２７となる場合について説明したが、電子装置部がその他の構成（例えば、ＤＶＤレコーダ部とテレビ部とを備えた構成、等）となるため、兼用キーが、上記したキースイッチとは異なるキースイッチとなる場合にも、同様に適用することができる。
【図面の簡単な説明】
【００５８】
【図１】本発明に係るリモートコントローラの一実施形態の操作面に設けられたキースイッチを示す説明図である。
【図２】リモートコントローラの実施形態の電気的構成を示すブロック線図である。
【図３】リモコン信号の制御対象である複合機器（ビデオカセットレコーダ一体型ＤＶＤレコーダ）の電気的構成を示すブロック線図である。
【図４】リモコンの主要動作を示すフローチャートである。
【図５】複合機器の主要動作を示すフローチャートである。
【符号の説明】
【００５９】
１  リモートコントローラ
２  複合機器
１１  兼用キー
１２  選択キー
１５  表示器
５２  ＤＶＤレコーダ部（電子装置部）
５３  ＶＣＲ部（電子装置部）
１０１  操作面
【図１】
2007201629.tif 000003
【図２】
2007201629.tif 000004
【図３】
2007201629.tif 000005
【図４】
2007201629.tif 000006
【図５】
2007201629.tif 000007